(57)【特許請求の範囲】
【請求項１】
ノートブック綴じ側反対側のノート端縁部に沿って複数個の項目記載用枠を印刷した検索項目ページと、項目記載用枠に対応した位置の端縁部に項目該当チェック領域を設けた筆記用ページとから成ることを特徴とする検索ノートブック。
【請求項２】
上記項目該当チェック領域箇所が筆記用ページに印刷表示されていることを特徴とする請求項１記載の検索ノートブック。
【請求項３】
項目該当チェック領域が、ノート端縁部端辺から一部を残して、舌状に切り込みがなされており、該舌状切り込みを端辺側に折り返したとき、舌状切り込み折り返し部先端がノート端辺からはみ出るように切り込まれている事を特徴とする請求項１記載の検索ノートブック。
【発明の詳細な説明】
【技術分野】
【０００１】
本発明は、ノートや手帳など、綴じられた筆記用紙の集積体に書き込んだり、添付したりしたあらゆる情報、記録を分野、項目別に簡単に検索出来るようにした検索ノートに関する。
【背景技術】
【０００２】
情報の記録媒体としては、ノート、即ち紙媒体に記録することが、最も確実に保存される。パソコン、ＣＤを含むあらゆるエレクトロニクス技術による情報の保存法は、突発的過電流や、磁力、光、機器の故障などにより、一瞬にして全情報を喪失する恐れは必ず残るからである。また、記録は正常でも、探しだすのにはデータベースソフトを立ち上げたり、操作法を忘れたり、時として大変な事態に陥ることもある。その点、ノート等、紙媒体に記録又は添付した情報はノート自体の紛失以外、データ喪失はあり得ない。しかし、ノートから欲しい情報を探し出すのには、どこにその情報があるかなかなか見つからず、結構大変な作業となることが多い。即ち、ノートは項目検索性が低いという決定的問題点があり、これを完全に解決するノートは未だかつて存在しない。幸い、情報はノートの場合、時系列で記録して行くので、時期が分かれば、何冊目のノートかは絞られてくる。それ以外は、１ページずつ丹念に見ながらページをめくり、ひとつひとつ地道に探すしかなかった。尚、ここでは通常のノート、手帳など筆記用紙の片側を綴じた集積体をノートブックと呼ぶ。
【発明の開示】
【発明が解決しようとする課題】
【０００３】
本発明が解決しようとしている課題は、ノートブックにある必要な情報を検索分類項目別に簡単に探し出せる、即ち検索方式を有したノートブックを提供することである。
【課題を解決するための手段】
【０００４】
第一の課題解決手段は、ノートブック綴じ側反対側のノート端縁部に沿って複数個の項目記載用枠を印刷した検索項目ページと、項目記載用枠に対応した位置の端縁部に項目該当チェック領域を設けた筆記用ページとから成ることを特徴とする検索ノートブックとする。
【０００５】
第二の課題解決手段は、上記項目該当チェック領域箇所が筆記用ページに印刷表示されていることを特徴とする請求項１記載の検索ノートブックとする。
【０００６】
第三の課題解決手段は、項目該当チェック領域が、ノート端縁部端辺から一部を残して、舌状に切り込みがなされており、該舌状切り込みを端辺側に折り返したとき、舌状切り込み折り返し部先端がノート端辺からはみ出るように切り込まれている事を特徴とする請求項１記載の検索ノートブックとする。
【発明の効果】
【０００７】
本発明の効果は以下の通りである。まず本発明の効果を最大限に利用するには、なるべくページ数の多いノートブックがよい。ジャンル別、分類別、項目別、何でもそのノートブックを使う人の立場で情報を分類し、項目記載用枠に記載し、ノートブックの中の情報を自分で設定した項目に合致する項目該当ページの項目該当チェック箇所にチェックを入れることにより、分類項目と、その分類の該当チェック箇所ページを見るだけで、簡単に必要情報を見つける事ができるようになる。
【０００８】
また、項目チェックの入れ方は、該当する印刷された項目該当チェック領域のページ端縁部を端辺まで水性ペン等で塗る、又は項目該当チェック領域の舌状切り込み部を折り返してノートブック端辺から頭を出す、又は印刷された項目該当チェック領域を専用のハンディーカッターでカットを入れ舌状切り込み部を折り返してノートブック端辺から頭を出す、又はチェック領域をノートブックから切り離す（切り取る）などの多彩な使用方法を選べる。即ちこの効果は、検索項目ページに設けた項目記載用筆記枠に書かれた分類項目と、筆記用ページ中のチェック箇所が一致するページだけをチェックすれば、そこには必ず目的の情報がある仕組みにより検索が可能になるのである。この項目記載用筆記枠と各ページに設けられた項目該当チェック領域が一対になって達成される効果であることが分かる。従来、ノートの中の重要情報には付箋をするなどしてきたが、付箋が多くなると付箋に情報の中身を記入しなければならなくなるが、その必要もない。筆記用ページの項目該当チェック領域に最初から舌状切り込みカットが入れてあれば、カッターも付箋も色塗りも何も不要で検索ノートとして使用出来る事が分かる。紙ノートというアナログな記録媒体であるが、どれだけエレクトロニクス技術が発達しても、そのシンプルさ、確実さ、手軽さ、安さなどから消える事はないであろう。ここに検索性を付加出来る本発明の効果は絶大である。
【０００９】
この検索ノートには、仕事、プライベート、趣味、To Do、アイディアなど、何でも雑多に気楽に書き込み、また領収書、名刺などを貼り付けてもよく、自分で最も探しやすい分類項目を検索項目ページＨの項目記載用枠Ｋに記載し、該当する項目該当チェック領域にチェックを入れるだけの作業で、いつでも自分の欲しい情報を簡単に探し出すことができるようになる。チェックの入れ方も何種類かの中から好みで選べる。この検索ノートをより効果的に使うには、チェックを入れた情報は、赤ペンなどで囲っておくと、該当ページを開いてから見つけやすく，より便利に使える。
【発明を実施するための最良の形態】
【００１０】
本実施例は、Ｂ５版（１００枚、２００ページ）の厚手ノートにおいて試行された。図１は本発明の検索項目ページＭを示す。このページには複数の項目記載用枠Ｋが印刷により示されている。該枠Ｋは綴じ代の反対側であるページ右端辺まで伸びており、検索時、項目該当チェックがしやすくなっている。尚、検索項目ページＭは本発明検索ノートブックの表紙であってもよく、表紙の下に設けても良いし、ノートの集積枚数によっては、中間の枚数目にあってもよく、使い方では左右どちらからの開き方により表紙は上下枚のどちらにもなりうる事は当然である。本実施例では、表紙を上にした時、綴じ側が左、即ち、左開きで示す。
【００１１】
図２は検索項目ページＭの下にある項目該当チェック領域Ｃを印刷した検索ノートブック本体ページ、即ち筆記用ページＰを示す。この項目該当チェック領域印刷Ｃは、それぞれ図１の項目記載用枠Ｋの右端真下にくるよう配置されている。当然、本ページの裏面にも同位置に鏡面印刷されており、任意のページを開けば、両面に項目該当チェック領域Ｃを有している。
【００１２】
更に、図２は、項目該当チェック領域Ｃの円弧印刷Ｃb部に切り込みを入れた本体ページと共用している（図としては区別出来ないので共用する）。以降、この実施例はＣb部はすでに切り込みされているケースで説明する。点線Ｃcは折り筋目であり、ページ縁端辺ＰtとはＣdの余裕を持って距離Ｌ２内側に配置されている。
【００１３】
この関係の詳細は項目該当チェック領域Ｃの拡大図である図３に示す。ここで大事なのは、舌部Ca長さＬ１と，折り目Ｃcとページ端辺Ｐtとの距離Ｌ２との長さ関係が、  Ｌ１＞Ｌ２であること。本実施例ではＬ１がＬ２より２mm長くしてある。図４は図３における舌部Ｃaを折り目Ｃcから折り返した状態を示す。このページ端辺Ｐtからはみ出たベロＣaが２mmである。
【００１４】
図４は、図１の項目記載用枠Ｋ２に書かれた項目Ｂに該当する内容が図２のページのどこかに記載されており、Ｃ２の項目該当チェック領域の舌状切り込みＣaを引き起こし、折り目Ｃcから折り返し、舌部Ｃa先端がページの外にはみ出た状態を示す。このＣ２舌部Ｃaを折り返す時は、項目記載用内容Ｂに合致していれば、このページのどこに記載されていても関係なく、項目記載用枠内容Ｂに該当する、この図で言えば上から２番目の舌部Ｃaを折り返す事が絶対条件である。また、このページの裏面に該当する記事に対しては、図５の如く裏面に舌部Ｃａを折り返しても良い。このページの裏面に該当する情報がある場合、舌部Ｃａを裏面に折り返すと,求める情報を探しやすくなる。いずれにしても舌部Ｃａがページ端辺Ｐtから飛び出ていたら、該当する項目記載用枠Ｂの内容が、このページの表裏どちらかにはあることを意味している。図６は図４の舌部折り返しの拡大図である。
【００１５】
図７は本発明請求項３記載の内容に沿った検索ノートブックの、項目該当チェックで舌部Ｃａを折り返した状態の斜視図である。項目記載用枠に記された項目別に、ノートの情報が合致するページの舌部Ｃａの折り返しが行われており、探したい情報が該当する項目枠の飛び出した舌部Ｃａの頭だけ見れば、必ず探せるようになっている事が分かる。
【００１６】
図８は、請求項２または請求項３記載の検索ノートブックにおいて、折り目Ｃcとページ端辺Ptとの隙間Ｃd範囲を例えば、水性ペンで着色したケース（図中斜線部）を示す。即ち、項目記載用枠の内容に沿った情報があるページの項目該当チェック領域を着色することで、舌部Ｃaを折り返して検索する方法に近い使い方が出来るからである。舌部Ｃaがノートから飛び出すのを好まない人にはお勧めの使い方である。
【００１７】
次に、図２において項目該当チェック領域Ｃが印刷されただけの検索ノート（舌部Caに切り込みが入っていない）に、舌部Ｃaを円弧Ｃｂに沿って１個だけ切る事が出来るハンディーカッターＴで切り込みを入れるケースを説明する。図９はハンディーカッターＴの押し切り刃部分の斜視図である。選択した項目該当チェック領域の筆記用ページをストッパーＴＴにノート端辺を押し当て、ホッチキス止め動作に似て押し切れば、舌部Ｃａに切れ込みが入る。この舌部Ｃａを折り目から折り返し、ノートから舌部Ｃａの頭を飛び出させればチェックは終了する。このケースでは専用のハンディーカッターが必要であるが、検索ノートそのものには刃を入れておかずに済むというメリットがある。押し切り刃ＴＨは、舌部Ｃaと同寸法であり、片手でホチキスする、又は切符切り感覚でベ舌部Ｃaに切り込みを入れる事が出来る。それは、カッターＴにはドン付けの衝立ＴＴにノート端辺Ｐｔを当てて押し切れば、刃を入れないＬ２も確保されるようになっている。図９では、筆記用ページＰが押し切り刃ＴＨの上にあり、衝立ＴＴにドン付けされている様子を点線で示している。勿論押し切り刃ＴＨを筆記用ページＰの上からあてがっても良い。ハンディーカッターＴの全体像は省略するが、形態的にはハンディータイプのホチキス状である。
【００１８】
本発明の利用方法は以下のようになる。図２の筆記用ページＰに、たった一行、一言でも自分にとって重要であれば、重要情報として赤ペンなどで囲み、その内容が例えば図１の検索項目ページＭの検索項目枠Ｋ２の項目内容Ｂに該当していれば、その情報がそのページの上、中、下、左右など、どこに記載されていても枠Ｋ２に対応する項目該当チェック領域Ｃ２の舌状切り込みＣａをノート端辺側に折り返し、折り返し部先端をノート端辺からはみ出させる。自分にとって重要な情報は全てこの作業を行っておくと、項目内容Ｂに分類される情報は、枠Ｋ２の下にある飛び出した舌状切り込みのページだけを見れば、必ず探せることになる。専用のハンディーカッターがあれば、検索ノートの項目該当領域は印刷されていればそれでよく、専用カッターを用いない方法であれば、検索ノートにあらかじめ舌状切り込みＣａを入れておくことになる。検索ノートは使い方をマスターすれば、普段はこのノート一冊をもっていれば、どんな内容でも、時系列で空間をつくらず詰めて記載し、検索方法は自分で決めて行うことが出来る。簡単で、便利である。
【図面の簡単な説明】
【００１９】
【図１】検索項目ページ
【図２】筆記用ページ
【図３】項目該当チェック領域拡大図
【図４】情報有りをチェックしたページ
【図５】情報有りをチェックしたページ
【図６】舌状切り込みCa折り返し拡大図
【図７】本発明を使用中のノートブック斜視図
【図８】項目該当チェック領域を着色塗りした図
【図９】カッター（押し切り刃部のみ）
【符号の説明】
【００２０】
Ｎ            検索ノートブック
Ｈ            表紙
Ｍ            検索項目ページ
Ｋ            項目記載用枠
Ｐ            筆記用ページ（検索ノートブック本体のページ）
Ｐｔ         （筆記用ページの） 端縁部端辺
Ｃ            項目該当チェック領域
Ｃａ         （項目該当チェック）舌部
Ｃｂ          円弧部
Ｃｃ          折り目
ＴＤ          カッター台
ＴＨ          カッター押し切り刃
ＴＴ          カッター位置決め衝立
Ｌ１          舌状切り込み部長さ
Ｌ２          ノート端辺から切り込み部端までの距離
【要約】      （修正有）【課題】ノートや手帳など、綴じられた筆記用紙の集積体に書き込んだり、添付したりしたあらゆる情報、記録を分野、項目別に簡単に検索出来るノートを提供する。【解決手段】検索項目ページＭの項目記載用枠Ｋに情報を検索する分野、項目別に記載し、ノート本体ページの該当する情報が記載されているページの該当する項目該当チェック領域にチェックを入れる。チェックの入れ方は舌状切り込みＣａを反対側に折り返し、ノートから切り込み先端が僅かに飛び出す。検索は探したい情報項目の下側に飛び出している舌状切り込みＣａのページのみをチェックし、情報を見つける。【選択図】図７【図１】
0005756221.tif 000002
【図２】
0005756221.tif 000003
【図３】
0005756221.tif 000004
【図４】
0005756221.tif 000005
【図５】
0005756221.tif 000006
【図６】
0005756221.tif 000007
【図７】
0005756221.tif 000008
【図８】
0005756221.tif 000009
【図９】
0005756221.tif 000010